(57)【要約】【課題】各光源間の蒼然地帯をなくして、液晶板面の明、暗区が現れるのを防止するライトガイド(導光体)の構造を提供する。【解決手段】ライトガイド(導光体)の構造は、光源と下拡散片の間にライトガイドを設置する。光源がライトガイドを通過することによって、光線は適する屈折及び反射を起こした後、下拡散片を通して均一に放出される。これによって明、暗区の形成を防止する。また光源と下拡散片の距離を減らすことにより、バックライトモジュールの厚みを小さくして、薄型を達成する。【選択図】図２
0003104065.tif 000002
【実用新案登録請求の範囲】
【請求項１】
このバックライトモジュールには内から外向きに反射カバー、複数の光源、複数の光学膜片及び保護面板の順に設置され、そのうち光源は直線状、その他連続湾曲状のライト管が適する間隔で反射カバーと下拡散片の間に設置されるライトガイドの構造において、
バックライトモジュールは光源と拡散板の間に少なくとも一個のガイドライトを設置し、このガイドライトには各光源を納置する凹槽が成形され、光源をライトガイド通過させて適する屈折及び反射作用を形成し、続いて下拡散片から均一に放出されるもので、光源間に形成される蒼然地帯を消去し、光源と拡散板の距離を縮めることによって、バックライトモジュールの厚みを減らして薄型を実現することを特徴とするライトガイドの構造。
【請求項２】
前記ライトガイドは、板片状構造であることを特徴とする請求項１記載のライトガイドの構造。
【請求項３】
前記ライトガイドは、少なくとも一面に凹凸刻紋を成形し、ライトガイドの下拡散片方向の板面、もしくはライトガイドの凹槽縁面上に、もしくはライトガイドの下拡散片から離れた縁面上に、局部または全体にＶ溝、Ｕ溝、Ｃ溝を一個以上入れ、直線または曲線もしくはその両者の組み合わせ溝を刻紋することを特徴とする請求項１記載のライトガイドの構造。
【請求項４】
前記ライトガイドは、少なくとも一個面上に、局部もしくは全体に霧化、インク印刷処理もしくは各種凹凸点(例として円形、正方形、菱形、多角形点等)増設を行うことを特徴とする請求項１記載のライトガイドの構造。
【請求項５】
前記ライトガイドは、透明板片構造もしくは白色板片構造もしくは霧状板片構造であることを特徴とする請求項１記載のライトガイドの構造。
【請求項６】
前記ライトガイドは、例としてＰＣ(ポリカーボネート)もしくはＰＭＭＡ(ポリメタクリル酸メチルエステル)もしくはＰＥＴ((ポリパラベンゼンカーボン酸エチルダイエステル)等で作られたプラスチック材で、透明または白色の細長状構造体のあることを特徴とする請求項１記載のライトガイドの構造。
【請求項７】
前記ライトガイドは、ＰＣ(ポリカーボネート)もしくはＰＭＭＡ(ポリメタクリル酸メチルエステル)に拡散剤を加えて精製した白霧状の細長構造体であることを特徴とする請求項１記載のライトガイドの構造。
【考案の詳細な説明】
【技術分野】
【０００１】
本考案は、液晶面板のライトガイド(導光体)の構造に関するもので、明、暗区を形成しないバックライトモジュールである。
【背景技術】
【０００２】
図１に示すのは、一般の液晶面板に使用されるバックライトモジュール構造断面図である。バックライトモジュール全体の構造は、内から外に向かって順に反射カバー１０、複数の光源２０、拡散板３０、下拡散片４０、プリズム片５０、反射式偏光片もしくは上拡散片６０及び保護面板７０から構成される。そのうち、各光源２０は直線形状またはＵ型またはその他連続湾曲形状のライト管で、適する間隔で反射カバー１０と拡散板３０の間に設置される。この液晶面板の表示効果は、各光源２０から放出された光線によって構成される。拡散板３０は、通過した光線を拡散するためであるが、正面から送られる各光源２０の間隔部には光線が届かない箇所が発生し、液晶面板上に明、暗区が形成される現象を改善している。
【０００３】
拡散板３０は通過する光線を均一に拡散するためだけなので、液晶面板に起きる明、暗区現象を改善する効果には限界がある。このため、あるバックライトモジュールは、光源２０と拡散板３０の間を故意に長くして各光源２０が拡散板３０に進入する範囲を広げ、蒼然地帯を小さくする。しかし、この構造は、効果に限界がある上、バックライトモジュールの厚みを増大させるため、液晶面板の軽量薄型の要求に応えられない。
【０００４】
また、別のバックライトモジュールは、拡散板の表面に消光処理を施しており、拡散板に二酸化ケイ素(ＳｉＯ２)もしくは二酸化メタン(ＴｉＯ２)を含んだインクでプリントし、拡散板の表面に消光(散光)機能を形成する。これによって、蒼然地帯を狭める効果を具える。しかしながら、この方法は拡散板の製造コストが上がるだけでなく、製造工程も煩雑になり、更に光線が拡散板表面に照射されたときだけに消光作用がある。
【考案の開示】
【考案が解決しようとする課題】
【０００５】
解決しようとする問題点は、光源と拡散板の間を故意に長くして各光源が拡散板に進入する範囲を広げ、蒼然地帯を小さくする。しかし、この構造は、効果に限界がある上、バックライトモジュールの厚みを増大させるため、液晶面板の軽量薄型の要求に応えられない点である。
【課題を解決するための手段】
【０００６】
本考案は、光源と下拡散片の間にライトガイドを設置する。光源がライトガイドを通過することによって、光線は適する屈折及び反射を起こした後、下拡散片を通して均一に放出される。これによって明、暗区の形成を防止する。また光源と下拡散片の距離を減らすことにより、バックライトモジュールの厚みを小さくして、薄型を達成することを最も主要な特徴とする。
【考案の効果】
【０００７】
本考案のライトガイド(導光体)の構造は、ガイドライトが拡散板に代わり、光源と下拡散片の間隔を減らしてバックライトモジュールを薄くするという利点がある。
【考案を実施するための最良の形態】
【０００８】
【実施例１】
【０００９】
図２は、バックライトモジュールの基本構造を示したもので、内から外に向かって順に反射カバー１０、複数の光源２０、下拡散片４０、プリズム片５０、反射式偏光片もしくは上拡散片６０及び保護面板７０から構成される。そのうち、各光源２０は、直線状もしくはその他の連続湾曲形状のライト管で、適する間隔で反射カバー１０と下拡散片４０の間に設置される。この液晶面板の表示効果は各光源が放出する光線によって構成される。
【００１０】
バックライトモジュール全体には、別に光源２０と下拡散片４０の間に少なくとも一個のライトガイド８０が設置され、そのライトガイド８０は板片状で、且つ各光源２０を納める凹槽８１が設置される。各光源２０の光線はライトガイド８０を通過して適した屈折及び反射作用を起こし、更に下拡散片４０を通して均一に放出する。これによって、光源間に形成される蒼然、地帯を消去し、ライトガイド８０が拡散板に代わり、光源２０と下拡散片４０間の距離を縮め、バックライトモジュールの厚みを減らして、薄型を実現する。
【００１１】
この他、ライトガイド８０はプラスチック材を使用することができ、例としてＰＣ(ポリカーボネート)、またはＰＭＭＡ(ポリメタクリル酸メチルェステル)、またはＰＥＴ((ポリパラベンゼンカーボン酸エチルダイエステル)等で作られた透明または白色の細長状構造体を含む。または透明プラスチック材で、例えばＰＣ(ポリカーボネート)もしくはＰＭＭＡ(ポリメタクリル酸メチルェステル)に拡散剤(例として二酸化ケイ素(ＳｉＯ２)もしくは二酸化メタン(ＴｉＯ２)等)を入れて精製した白色霧状細長構造体でもよい。効果の異なるライトガイド８０を屈折させることによって、バックライトモジュールの実際の光源２０に基づき適する光効果のライドガイド８０を選択する。
【００１２】
更に図３に示すとおり、ライトガイド８０に少なくとも一つの表面上(本実施例ではライトガイド８０の下拡散片４０向きの板面)の局部もしくは全てに凹凸刻紋８２を設置する。または図４に示すとおり、ライトガイド８０の光源２０の凹槽８１縁面向きの局部もしくは全体に凹凸刻紋８２を設置する。また図５に示すとおり、ライトガイド８０を下拡散片４０から離れている縁面上に局部もしくは全体に凹凸刻紋を設置する。この刻紋はＶ溝、Ｕ溝、Ｃ溝が一個以上直線もしくは曲線もしくは両者を合わせた溝槽で、凹凸刻紋８２の凸面で集光して光源２０の光線を各凹凸刻紋８２の凸面から放出する。これによって従来の液晶に明、暗地帯が現れるのを解決する。当然ライトガイド８０の少なくとも一面の局部もしくは全体に霧化、インク印刷処理もしくは凹凸点(例として円形、長方形、ひし形、多角形点等)付設しても効果は同じである。
【図面の簡単な説明】
【００１３】
【図１】公知バックライトモジュールの構造断面図である。
【図２】本考案第一実施例のバックライトモジュール構造断面図である。
【図３】本考案のライトガイドは下拡散片向きの板面に、凹凸刻紋構造を設置した断面図である。
【図４】本考案のライトガイドは光源の凹槽縁面向きに凹凸刻紋構造が設置された断面図である。
【図５】本考案のライトガイドは、下拡散片の縁面上から離れた縁面上に凹凸刻紋構造が設置された断面図である。
【符号の説明】
【００１４】
１０  反射カバー
２０  光源
３０  拡散板
４０  下拡散片
５０  プリズム片
６０  反射式偏光片もしくは上拡散片
７０  保護面板
８０  ライトガイド（導光体）
８１  凹槽
８２  凹凸刻紋
【図１】
0003104065.tif 000003
【図２】
0003104065.tif 000004
【図３】
0003104065.tif 000005
【図４】
0003104065.tif 000006
【図５】
0003104065.tif 000007